(57)【要約】      （修正有）【課題】高い使用の利便性と吸入の安定性を達成できる収納缶の導通口接続台構造を提供する。【解決手段】エアコンプレッサーのエアチューブと給気導通口１１０に設置する給気制御管１１０Ａとを連接し、給気制御管１１０Ａの制御バルブ１１０Ｂにより、高圧空気を排気導通口の排気導管１１１Ａを経て排気導通口に設置する排気導管１１１Ａへと導入し、圧力測定導通口１１２に設置する圧力メーター１１２Ａ或いは制御電磁バルブにより、導入気体圧力の探知及び制御を行う。これにより高圧気体は収納缶体内の収容物の比重に応じて、収納缶体内に導入され、収納缶体内の収容物は圧力を受け、吸入導通口に設置する吸入導管１２０Ａより吸入導出口１２１に設置する導出制御管１２１Ａへと導出され、導出制御管１２１Ａに設置する制御バルブ１２１Ｂを開くことで導出される。【選択図】図１
0003185740.tif 000002
【実用新案登録請求の範囲】
【請求項１】
収納缶の導通口接続台構造であって、
接続台本体を備え、
前記接続台本体には、給気管路及び吸入管路が設置され、
前記給気管路における前記接続台本体の前方に、給気導通口が設置され、前記給気導通口には、給気制御管が結合され、
前記接続台本体底側には、排気導通口が設置され、前記排気導通口には、排気導管が結合され、
しかも、前記接続台本体頂点側には、圧力測定導通口が設置され、前記圧力測定導通口には、圧力メーターが結合され、
前記吸入管路における前記接続台本体底側には、吸入導通口が設置され、前記吸入導通口には、吸入導管が結合され、
前記吸入管路における前記接続台本体の前方には、吸入導出口が設置され、前記吸入導出口には、導出制御管が結合されていることを特徴とする収納缶の導通口接続台構造。
【請求項２】
前記給気管路は、T字型に類似した形状を呈することを特徴とする請求項１に記載の収納缶の導通口接続台構造。
【請求項３】
前記吸入管路は、L字型に類似した形状を呈することを特徴とする請求項１に記載の収納缶の導通口接続台構造。
【請求項４】
前記接続台本体の両側には、それぞれ係合用平面が設置されていることを特徴とする請求項１に記載の収納缶の導通口接続台構造。
【請求項５】
前記接続台本体外径下方には、螺合固定部が環状に設置されていることを特徴とする請求項１に記載の収納缶の導通口接続台構造。
【請求項６】
前記給気制御管には、制御バルブが設置されていることを特徴とする請求項１に記載の収納缶の導通口接続台構造。
【請求項７】
前記導出制御管には、制御バルブが設置されていることを特徴とする請求項１に記載の収納缶の導通口接続台構造。
【請求項８】
前記圧力測定導通口には、制御電磁バルブが結合されていることを特徴とする請求項１に記載の収納缶の導通口接続台構造。
【考案の詳細な説明】
【技術分野】
【０００１】
本考案は収納缶の導通口接続台構造に関し、特に、収納缶の内容物導出装置に用いる収納缶の導通口接続台構造に関する。
【背景技術】
【０００２】
従来の缶体吸引装置は図５に示すように、ポンプユニット30には缶胴部31、缶底部32、缶頂部33を備える。缶頂部33には、吸入ピストン330、導出口331を設置する。缶底部32には、連接固定導通口（図示なし）を設置する。ポンプユニット30は、収納缶体20の頂点部に設置される。缶底部32に設置されている連接固定導通口320は、収納缶体20の導通口に相対するように位置する。吸入ピストン330を操作することで、缶胴部31内の気体は真空状態を呈する。こうして、収納缶体20内の収容物を吸引して取り出すことができる。
【０００３】
しかし、従来の缶体吸引装置には以下の問題が存在する。
1. 使用の利便性が劣る：人力により吸入ピストンを操作することで、缶胴部内の気体を真空状態とし、これにより収納缶体内の収容物を吸引して取り出す必要があるため、使用の利便性が劣る。
2. 吸入の安定性が劣る：人力により吸入ピストンを操作することで、缶胴部内の気体を真空状態とし、これにより収納缶体内の収容物を吸引して取り出す必要があるため、人力により吸入ピストンを操作する際に作用する力の大きさ及び操作の頻度を固定することができないため、吸入の安定性が劣る。
本考案は、従来の缶体吸引装置の上記の欠点に鑑みてなされたものである。
【考案の概要】
【考案が解決しようとする課題】
【０００４】
本考案が解決しようとする課題は、従来の缶体吸引装置の使用の利便性及び吸入の安定性が劣るという問題を解決することができる収納缶の導通口接続台構造を提供することである。
【課題を解決するための手段】
【０００５】
上記課題を解決するため、本考案は下記のような収納缶の導通口接続台構造を提供する。
本考案の収納缶の導通口接続台構造は、接続台本体を備え、該接続台本体には、給気管路及び吸入管路を設置し、該給気管路は、T字型に類似した形状を呈し、該吸入管路は、L字型に類似した形状を呈し、しかも、該接続台本体の両側には、係合用平面をそれぞれ設置し、該係合用平面下方の接続台本体を環状に囲む外径には、螺合固定部を設置し、該給気管路は、該接続台本体の前方に、給気導通口を設置し、該給気導通口は、給気制御管を結合して設置し、該給気制御管には、制御バルブを設置し、また、該接続台本体底側には、排気導通口を設置し、該排気導通口は、排気導管を結合して設置し、しかも、該接続台本体頂点側には、圧力測定導通口を設置し、該圧力測定導通口は、圧力メーター或いは制御電磁バルブを結合して設置し、該吸入管路は、該接続台本体底側に、吸入導通口を設置し、該吸入導通口は、吸入導管を結合して設置し、別に、該吸入管路は、該接続台本体前方に、吸入導出口を設置し、該吸入導出口は、導出制御管を結合して設置し、該導出制御管には、制御バルブを設置し、該接続台本体は、設置する螺合固定部により、収納缶体の導通口に螺合して固定し、エアコンプレッサーのエアチューブと該給気導通口に設置する給気制御管とを連接することで、該給気制御管の制御バルブを経て、高圧空気を、該排気導通口の排気導管を経て収納缶体内に導入し、該圧力測定導通口に設置する圧力メーター或いは制御電磁バルブにより、導入気体圧力の探知及び制御を行い、これにより、高圧気体は、該収納缶体内の収容物の比重に応じて、該収納缶体内に導入され、こうして、該収納缶体内の収容物は圧力を受け、該吸入導通口に設置する吸入導管より、該吸入導出口に設置する導出制御管へと導出され、並びに、該導出制御管に設置する制御バルブを開くことで導出され、こうして、高圧空気を収納缶体に簡易に導入することで、収容物を安定的に導出することができ、高い使用の利便性と吸入の安定性を達成することができる。
【考案の効果】
【０００６】
本考案の収納缶の導通口接続台構造は、以下の効果を有する。
1.使用の利便性が高い：高圧空気を排気導通口の排気導管を経て収納缶体に導入することで、収納缶体内の収容物は圧力を受け、吸入導通口に設置する吸入導管より、吸入導出口に設置する導出制御管へと導出され、並びに、導出制御管に設置する制御バルブを開くことで導出され、高圧空気を簡易に導入することで、収容物を導出できるため、使用の利便性が高い。
【０００７】
2.吸入の安定性が高い：高圧空気は排気導通口の排気導管を経て収納缶体に導入され、圧力測定導通口に設置する圧力メーター或いは制御電磁バルブにより、導入気体圧力の探知及び制御を行い、これにより、高圧気体は、収納缶体内の収容物の比重に応じて、収納缶体内に導入され、こうして、収納缶体内の収容物は圧力を受け、吸入導通口に設置する吸入導管より、吸入導出口に設置する導出制御管へと導出され、並びに、導出制御管に設置する制御バルブを開くことで導出され、高圧空気を収納缶体に導入することで、収容物を安定的に導出するため、吸入の安定性が高い。
【図面の簡単な説明】
【０００８】
【図１】本考案立体組合せ状態の模式図である。
【図２】本考案立体分解状態の模式図である。
【図３】本考案側視断面状態の模式図である。
【図４】本考案を収納缶体に結合する使用状態の参考図である。
【図５】従来の収納缶体に缶体吸引装置を結合する状態の参考図である。
【考案を実施するための形態】
【０００９】
以下に図面を参照しながら本考案を実施するための最良の形態について詳細に説明する。
【実施例】
【００１０】
本考案収納缶の導通口接続台構造の立体組合せ状態、立体分解状態、側視断面状態の各模式図である図１〜３に示すように、本考案収納缶の導通口接続台構造は、接続台本体10を備える。
【００１１】
接続台本体10には、給気管路11及び吸入管路12が設置されている。
【００１２】
給気管路11は、T字型に類似した形状を呈し、吸入管路12は、L字型に類似した形状を呈する。
しかも、接続台本体10の両側には、係合用平面13がそれぞれ設置されている。
係合用平面13下方の接続台本体10を環状に囲む外径には、螺合固定部14が設置されている。
【００１３】
給気管路11における接続台本体10の前方には、給気導通口110が設置されている。
給気導通口110には、給気制御管110Aが結合されている。
給気制御管110Aには、制御バルブ110Bが設置されている。
【００１４】
また、接続台本体10底側には、排気導通口111が設置されている。
排気導通口111には、排気導管111Aが結合されている。
また、接続台本体10の頂点側には、圧力測定導通口112が設置されている。
圧力測定導通口112には、圧力メーター112A或いは制御電磁バルブ（図示なし）が結合されている。
【００１５】
吸入管路12における接続台本体10の底側には、吸入導通口120が設置されている。
吸入導通口120には、吸入導管120Aが結合されている。
また、吸入管路12における接続台本体10の前方には、吸入導出口121が設置されている。
吸入導出口121には、導出制御管121Aが結合されている。
導出制御管121Aには、制御バルブ121Bが設置されている。 
【００１６】
上記のような構造により、本考案の収納缶の導通口接続台構造の構成が完成される。
【００１７】
本考案収納缶の導通口接続台構造の立体分解状態模式図、側視断面状態模式図、及び収納缶体に結合する使用状態参考図である図２〜４に示すように、接続台本体10に設けられている螺合固定部14により、収納缶体20の導通口に螺合して固定される。
【００１８】
エアコンプレッサーのエアチューブと給気導通口110に設置されている給気制御管110Aとを連接することで、給気制御管110Aの制御バルブ110Bを経て、高圧空気を、排気導通口111の排気導管111Aを通して収納缶体20に導入する。
圧力測定導通口112に設置されている圧力メーター112A或いは制御電磁バルブにより、導入気体圧力の探知及び制御を行う。
これにより、高圧気体は、収納缶体20内の収容物の比重に応じて、収納缶体20内に導入される。
【００１９】
こうして、収納缶体20内の収容物は圧力を受け、吸入導通口120に設置する吸入導管120Aより、吸入導出口121に設置されている導出制御管121Aへと導出される。また、導出制御管121Aに設置されている制御バルブ121Bを開いて導出する。こうして、高圧空気を収納缶体20に簡単に導入することで、収容物を安定的に導出することができ、高い使用の利便性と吸入の安定性を達成することができる。
【００２０】
上記の本考案名称と内容は、本考案技術内容の説明に用いたのみで、本考案を限定するものではない。本考案の意思に基づく等価応用或いは部品（構造）の転換、置換、数量の増減はすべて本考案の保護範囲に含むものとする。
【産業上の利用可能性】
【００２１】
本考案は実用新案登録の要件である新規性を備え、従来の同類製品に比べ十分な進歩性を有し、実用性が高く、社会的ニーズに合致しており、産業上の利用価値は非常に大きい。
【符号の説明】
【００２２】
10  接続台本体
11  給気管路
110   給気導通口
110A  給気制御管
110B  制御バルブ
111   排気導通口
111A  排気導管
112   圧力測定導通口
112A  圧力メーター
12 吸入管路
120 吸入導通口
120A  吸入導管
121 吸入導出口
121A  導出制御管
121B  制御バルブ
13 係合用平面
14 螺合固定部
20 収納缶体
30 ユニット
31 缶胴部
32 缶底部
320 連接固定導通口
33 缶頂部
330 吸入ピストン
331   導出口
【図１】
0003185740.tif 000003
【図２】
0003185740.tif 000004
【図３】
0003185740.tif 000005
【図４】
0003185740.tif 000006
【図５】
0003185740.tif 000007